(57)【特許請求の範囲】
【請求項１】
ドアフレームアセンブリを備えた電子レンジに用いられるドアフレームアセンブリの制御方法であって、
前記ドアフレームアセンブリでは、
ドアプレートと、ドア軸を介して前記ドアプレートに接続されたドアフレームとを備え、前記ドアプレートにおける少なくとも一部の領域が前記ドアフレームと対向し、前記ドアプレートにおける前記ドアフレームと対向する第１の領域には第１種類の磁石が設置されており、前記ドアフレームにおける前記第１の領域と対向する第２の領域には第２種類の磁石が設置されており、前記第１種類の磁石は、永久磁石と電磁石の中の一つであり、前記第２種類の磁石は、永久磁石と電磁石の中のもう一つであり、
前記ドアフレームアセンブリは、互いに接続された制御チップ及び距離センサをさらに備え、前記距離センサは、前記ドアプレートと前記ドアフレームとの間の距離をモニタリングし、前記制御チップは、前記距離センサが特定した距離に基づいて前記電磁石の電流方向を制御し、
前記制御方法では、
前記制御チップが、前記距離センサが送信した第１の制御信号であって、前記距離センサが前記ドアプレートと前記ドアフレームとの間の距離が小さくなることをモニタリングした際に生成した第１の制御信号を受信した場合、第１の方向の電流を前記電磁石に入力して、前記電磁石の前記永久磁石と対向する一端の極性が前記永久磁石の極性と相反になるように制御するステップと、
前記制御チップが、前記距離センサが送信した第２の制御信号であって、前記距離センサが前記ドアプレートと前記ドアフレームとの間の距離が大きくなることをモニタリングした際に生成した第２の制御信号を受信した場合、第２の方向の電流を前記電磁石に入力して、前記電磁石の前記永久磁石と対向する一端の極性が前記永久磁石の極性と同一になるように制御するステップと、
前記制御チップが、前記距離センサが送信した前記ドアプレートの加速度を含む第３の制御信号であって、前記距離センサが前記ドアプレートと前記ドアフレームとの間の距離が小さくなり且つ前記ドアプレートの加速度が加速度閾値よりも大きくなったことをモニタリングした際に生成した第３の制御信号を受信するステップと、
前記制御チップが、所定の電流値と正の相関関係を有する前記ドアプレートの加速度に対応する所定の電流値を検索するステップと、
前記制御チップが、前記所定の電流値を有する前記第２の方向の電流を前記電磁石に入力するステップと、
を含み、
前記第１の方向と前記第２の方向は互いに異なる
ことを特徴とするドアフレームアセンブリの制御方法。
【請求項２】
ドアフレームアセンブリに用いられる制御方法において、
前記距離センサは、前記第１の領域における第１の装着位置に装着され、前記距離センサは、前記第１の装着位置において前記ドアプレートと前記ドアフレームとの間の相対的な距離をモニタリングし、前記相対的な距離は、前記第１の装着位置と前記ドアフレームが位置する平面との間の垂直距離であるか、
あるいは、
前記距離センサは、前記第２の領域における第２の装着位置に装着され、前記距離センサは、前記第２の装着位置において前記ドアプレートと前記ドアフレームとの間の相対的な距離をモニタリングし、前記相対的な距離は、前記第２の装着位置と前記ドアプレートが位置する平面との間の垂直距離である
ことを特徴とする請求項１に記載の制御方法。
【請求項３】
ドアフレームアセンブリに用いられる制御方法において、
前記ドアプレートにはハンドル部が設けられ、前記ドアフレームアセンブリは、前記ハンドル部に設けられたパラメータ収集手段を備え、
前記制御チップが、前記パラメータ収集手段が送信したモニタリング起動信号であって、前記パラメータ収集手段が、収集したパラメータが所定のパラメータレベルに達したと判断した際に生成したモニタリング起動信号を受信するステップと、
前記制御チップが、前記距離センサに、前記ドアプレートと前記ドアフレームとの間の距離の変化のモニタリングを開始するようにするためのモニタリング起動指令を送信するステップと
をさらに、含み、
前記パラメータ収集手段は、温度、輝度、圧力のうちの少なくとも１種を含む環境特徴パラメータを収集する
ことを特徴とする請求項１または２に記載の制御方法。
【請求項４】
ドアフレームアセンブリに用いられる制御方法において、
パラメータ収集手段が、導線を介して前記距離センサに接続されているか、或は、導線を介して前記制御チップに接続されており、
前記制御チップが、前記パラメータ収集手段が送信したモニタリング起動信号であって、前記パラメータ収集手段が、収集したパラメータが所定のパラメータレベルに達したと判断した際に生成したモニタリング起動信号を受信するステップと、
前記制御チップが、前記距離センサに、前記ドアプレートと前記ドアフレームとの間の距離の変化のモニタリングを開始するようにするためのモニタリング起動指令を送信するステップと
をさらに、含む、
ことを特徴とする請求項１または２に記載の制御方法。
【請求項５】
ドアフレームアセンブリを備えた電子レンジに用いられるドアフレームアセンブリの制御装置であって、
前記ドアフレームアセンブリでは、
ドアプレートと、ドア軸を介して前記ドアプレートに接続されたドアフレームとを備え、前記ドアプレートにおける少なくとも一部の領域が前記ドアフレームと対向し、前記ドアプレートにおける前記ドアフレームと対向する第１の領域には第１種類の磁石が設置されており、前記ドアフレームにおける前記第１の領域と対向する第２の領域には第２種類の磁石が設置されており、前記第１種類の磁石は、永久磁石と電磁石の中の一つであり、前記第２種類の磁石は、永久磁石と電磁石の中のもう一つであり、
前記ドアフレームアセンブリは、互いに接続された制御チップ及び距離センサをさらに備え、前記距離センサは、前記ドアプレートと前記ドアフレームとの間の距離をモニタリングし、前記制御チップは、前記距離センサが特定した距離に基づいて前記電磁石の電流方向を制御し、
前記制御装置では、
前記距離センサが送信した第１の制御信号であって、前記距離センサが前記ドアプレートと前記ドアフレームとの間の距離が小さくなることをモニタリングした際に生成した第１の制御信号を受信した場合、第１の方向の電流を前記電磁石に入力して、前記電磁石の前記永久磁石と対向する一端の極性が前記永久磁石の極性と相反になるように制御する第１入力モジュールと、
前記距離センサが送信した第２の制御信号であって、前記距離センサが前記ドアプレートと前記ドアフレームとの間の距離が大きくなることをモニタリングした際に生成した第２の制御信号を受信した場合、第２の方向の電流を前記電磁石に入力して、前記電磁石の前記永久磁石と対向する一端の極性が前記永久磁石の極性と同一になるように制御する第２入力モジュールと、
前記距離センサが送信した前記ドアプレートの加速度を含む第３の制御信号であって、前記距離センサが前記ドアプレートと前記ドアフレームとの間の距離が小さくなり且つ前記ドアプレートの加速度が加速度閾値よりも大きくなったことをモニタリングした際に生成した第３の制御信号を受信する第２受信モジュールと、
所定の電流値と正の相関関係を有する前記ドアプレートの加速度に対応する所定の電流値を検索する検索モジュールと、
前記所定の電流値を有する前記第２の方向の電流を前記電磁石に入力する第３入力モジュールと、
を備え、
前記第１の方向と前記第２の方向は互いに異なる
ことを特徴とするドアフレームアセンブリの制御装置。
【請求項６】
ドアフレームアセンブリに用いられる装置において、
前記距離センサは、前記第１の領域における第１の装着位置に装着され、前記距離センサは、前記第１の装着位置において前記ドアプレートと前記ドアフレームとの間の相対的な距離をモニタリングし、前記相対的な距離は、前記第１の装着位置と前記ドアフレームが位置する平面との間の垂直距離であるか、
あるいは、
前記距離センサは、前記第２の領域における第２の装着位置に装着され、前記距離センサは、前記第２の装着位置において前記ドアプレートと前記ドアフレームとの間の相対的な距離をモニタリングし、前記相対的な距離は、前記第２の装着位置と前記ドアプレートが位置する平面との間の垂直距離である
ことを特徴とする請求項５に記載の制御装置。
【請求項７】
ドアフレームアセンブリに用いられる装置において、
前記ドアプレートにはハンドル部が設けられ、前記ドアフレームアセンブリは、前記ハンドル部に設けられたパラメータ収集手段と、
前記パラメータ収集手段が送信したモニタリング起動信号であって、前記パラメータ収集手段が、収集したパラメータが所定のパラメータレベルに達したと判断した際に生成したモニタリング起動信号を受信する第１受信モジュールと、
前記距離センサに、前記ドアプレートと前記ドアフレームとの間の距離の変化のモニタリングを開始するようにするためのモニタリング起動指令を送信する送信モジュールと
をさらに備え、
前記パラメータ収集手段は、温度、輝度、圧力のうちの少なくとも１種を含む環境特徴パラメータを収集する
ことを特徴とする請求項５または６に記載の制御装置。
【請求項８】
ドアフレームアセンブリに用いられる装置において、
パラメータ収集手段が、導線を介して前記距離センサに接続されているか、或は、導線を介して前記制御チップに接続されており、
前記パラメータ収集手段が送信したモニタリング起動信号であって、前記パラメータ収集手段が、収集したパラメータが所定のパラメータレベルに達したと判断した際に生成したモニタリング起動信号を受信する第１受信モジュールと、
前記距離センサに、前記ドアプレートと前記ドアフレームとの間の距離の変化のモニタリングを開始するようにするためのモニタリング起動指令を送信する送信モジュールと
をさらに備える、
ことを特徴とする請求項５または６に記載の制御装置。
【発明の詳細な説明】
【技術分野】
【０００１】
本願は、出願番号がＣＮ２０１６１０３７１７９６．０であって、出願日が２０１６年５月３０日である中国特許出願に基づいて優先権を主張し、当該中国特許出願のすべての内容を援用する。
【０００２】
本発明は、スマートホームの分野に関し、特に、電子レンジに用いられるドアフレームアセンブリ、ドアフレームアセンブリの制御方法及び装置に関する。
【背景技術】
【０００３】
通常の場合、ユーザは、電子レンジのドアを、手動的に押したり引いたりして開閉することができる。
【０００４】
電子レンジのドアを押したり引いたりするユーザの力が、ドアを移動させるための力に達しないと、電子レンジのドアが押されたり引かされないため、ユーザがドアを正常的に開閉できないおそれがある。
【発明の概要】
【０００５】
本発明は、電子レンジに用いられるドアフレームアセンブリ、ドアフレームアセンブリの制御方法及び装置を提供する。その構成は下記の通りである。
【０００６】
本発明の実施例に係る第１の態様によると、電子レンジに用いられるドアフレームアセンブリを提供する。当該ドアフレームアセンブリは、ドアプレートと、ドア軸を介して前記ドアプレートに接続されたドアフレームとを備え、前記ドアプレートにおける少なくとも一部の領域が前記ドアフレームと対向し、前記ドアプレートにおける前記ドアフレームと対向する第１の領域には第１種類の磁石が設置されており、前記ドアフレームにおける前記第１の領域と対向する第２の領域には第２種類の磁石が設置されており、前記第１種類の磁石は永久磁石と電磁石の中の一方であり、前記第２種類の磁石は永久磁石と電磁石の中の他方であり、前記ドアフレームアセンブリは、互いに接続された制御チップ及び距離センサをさらに備え、前記距離センサは、前記ドアプレートと前記ドアフレームとの間の距離をモニタリングし、前記制御チップは、前記距離センサが特定した距離に基づいて前記電磁石の電流方向を制御する。制御チップと距離センサが接続させて、距離センサを利用して電子レンジのドアプレートと電子レンジのドアフレームとの間の距離をモニタリングし、制御チップを利用して距離センサが特定した距離に基づいて電磁石の電流方向を制御する。電磁石の電流方向は電子レンジのドアプレートと電子レンジのドアフレームとの間の距離の変化状況に関連されるため、電子レンジのドアを押したり引いたりするユーザの力がドアを移動させるための力に達しないと電子レンジのドアが押されたり引かされなく、ユーザがドアを正常的に開閉できない問題が解決した。このように、電子レンジが、ユーザが電子レンジのドアを押したり引いたりする時にドアの移動方向と一致する補助力を自動的に生成するようにして、ユーザがドアを押したり引いたりする時にかかる力が低減する効果に達した。
【０００７】
オプションとして、前記距離センサは、前記第１の領域における第１の装着位置に装着され、前記距離センサは、前記第１の装着位置において前記ドアプレートと前記ドアフレームとの間の相対的な距離を検出し、前記相対的な距離は、前記第１の装着位置と前記ドアフレームが位置する平面との間の垂直距離であるか、
あるいは、
前記距離センサは、前記第２の領域における第２の装着位置に装着され、前記距離センサは、前記第２の装着位置において前記ドアプレートと前記ドアフレームとの間の相対的な距離を検出し、前記相対的な距離は、前記第２の装着位置と前記ドアプレートが位置する平面との間の垂直距離である。
【０００８】
オプションとして、前記ドアプレートにはハンドル部が設けられ、前記ドアフレームアセンブリは、前記ハンドル部に設けられたパラメータ収集手段をさらに備え、前記パラメータ収集手段は、温度、輝度、圧力のうちの少なくとも１種を含む環境特徴パラメータを収集する。
【０００９】
オプションとして、前記パラメータ収集手段は、導線を介して前記距離センサに接続されているか、或は、導線を介して前記制御チップに接続されている。
【００１０】
本発明の実施例に係る第２の態様によると、第１の態様によって提供する前記ドアフレームアセンブリに用いられるドアフレームアセンブリの制御方法を提供する。当該方法は、前記制御チップが、前記距離センサが送信した第１の制御信号であって、前記距離センサが前記ドアプレートと前記ドアフレームとの間の距離が小さくなることをモニタリングした際に生成した第１の制御信号を受信した場合、第１の方向の電流を前記電磁石に入力して、前記電磁石の前記永久磁石と対向する一端の極性が前記永久磁石の極性と相反になるように制御するステップと、前記制御チップが、前記距離センサが送信した第２の制御信号であって、前記距離センサが前記ドアプレートと前記ドアフレームとの間の距離が大きくなることをモニタリングした際に生成した第２の制御信号を受信した場合、第２の方向の電流を前記電磁石に入力して、前記電磁石の前記永久磁石と対向する一端の極性が前記永久磁石の極性と同一になるように制御するステップと、を含み、前記第１の方向と前記第２の方向は互いに異なる。制御チップは、距離センサが送信する制御信号を受信した後に、制御信号に対応する方向の電流を電磁石に入力して、電磁石の永久磁石と対向する一端の極性が前記永久磁石の極性と相反または同一になるように制御する。制御信号は、距離センサが電子レンジのドアプレートと電子レンジのドアフレームとの間の距離が変化したことをモニタリングした時に生成したものであるから、電子レンジのドアを押したり引いたりするユーザの力がドアを移動させるための力に達しないと電子レンジのドアが押されたり引かされなく、ユーザがドアを正常的に開閉できない問題が解決した。このように、電子レンジが、ユーザが電子レンジのドアを押したり引いたりする時にドアの移動方向と一致する補助力を自動的に生成するようにして、ユーザがドアを押したり引いたりする時にかかる力が低減する効果に達した。
【００１１】
オプションとして、前記方法は、前記制御チップが、前記パラメータ収集手段が送信したモニタリング起動信号であって、前記パラメータ収集手段が、収集したパラメータが所定のパラメータレベルに達したと判断した際に生成したモニタリング起動信号を受信するステップと、前記制御チップが、前記距離センサに、前記ドアプレートと前記ドアフレームとの間の距離の変化のモニタリングを開始するようにするためのモニタリング起動指令を送信するステップと、をさらに含む。制御チップは、パラメータ収集手段が送信するモニタリング起動信号を受信した後に、モニタリング起動指令を距離センサに送信する。モニタリング起動信号は、収集したパラメータが所定のパラメータレベルに達したことをパラメータ収集手段が判断した際に生成したものであるので、電子レンジのドアプレートが人力の影響を受けた時のみに、当該電子レンジのドアプレートと当該電子レンジのドアフレームとの間の距離を検出することになり、これによりドアフレームアセンブリの電力消耗が低減された。
【００１２】
オプションとして、前記方法は、前記制御チップが、前記距離センサが送信した前記ドアプレートの加速度を含む第３の制御信号であって、前記距離センサが前記ドアプレートと前記ドアフレームとの間の距離が小さくなり且つ前記ドアプレートの加速度が加速度閾値よりも大きくなったことをモニタリングした際に生成した第３の制御信号を受信するステップと、前記制御チップが、所定の電流値と正の相関関係を有する前記ドアプレートの加速度に対応する所定の電流値を検索するステップと、前記制御チップが、前記所定の電流値を有する前記第２の方向の電流を前記電磁石に入力するステップと、をさらに含む。制御チップは、ドアプレートとドアフレームとの間の距離が小さくなり且つ当該ドアプレートの加速度が加速度閾値よりも大きくなる時、所定の電流値を有する第２の方向の電流を前記電磁石に入力する。電子レンジのドアプレートの加速度が加速度閾値よりも大きくなる場合、電子レンジのドアプレートの加速度が所定の電流値と正の相関関係を有するため、制御チップは、電子レンジのドアプレートのドアを閉じる速度が速すぎると、電磁石と永久磁石との間に斥力が発生するように制御する。これにより、電子レンジのドアプレートと電子レンジのドアフレームとの間の衝撃によるドアプレートの損傷が防止された。
【００１３】
本発明の実施例に係る第３の態様によると、第１の態様によって提供する前記ドアフレームアセンブリに用いられるドアフレームアセンブリの制御装置を提供する。当該装置は、前記距離センサが送信した第１の制御信号であって、前記距離センサが前記ドアプレートと前記ドアフレームとの間の距離が小さくなることをモニタリングした際に生成した第１の制御信号を受信した場合、第１の方向の電流を前記電磁石に入力して、前記電磁石の前記永久磁石と対向する一端の極性が前記永久磁石の極性と相反になるように制御する第１入力モジュールと、前記距離センサが送信した第２の制御信号であって、前記距離センサが前記ドアプレートと前記ドアフレームとの間の距離が大きくなることをモニタリングした際に生成した第２の制御信号を受信した場合、第２の方向の電流を前記電磁石に入力して、前記電磁石の前記永久磁石と対向する一端の極性が前記永久磁石の極性と同一になるように制御する第２入力モジュールと、を備え、前記第１の方向と前記第２の方向は互いに異なる。
【００１４】
オプションとして、前記装置は、前記パラメータ収集手段が送信したモニタリング起動信号であって、前記パラメータ収集手段が、収集したパラメータが所定のパラメータレベルに達したと判断した際に生成したモニタリング起動信号を受信する第１受信モジュールと、前記距離センサに、前記ドアプレートと前記ドアフレームとの間の距離の変化のモニタリングを開始するようにするためのモニタリング起動指令を送信する送信モジュールと、をさらに備える。
【００１５】
オプションとして、前記装置は、前記距離センサが送信した前記ドアプレートの加速度を含む第３の制御信号であって、前記距離センサが前記ドアプレートと前記ドアフレームとの間の距離が小さくなり且つ前記ドアプレートの加速度が加速度閾値よりも大きくなったことをモニタリングした際に生成した第３の制御信号を受信する第２受信モジュールと、所定の電流値と正の相関関係を有する前記ドアプレートの加速度に対応する所定の電流値を検索する検索モジュールと、前記所定の電流値を有する前記第２の方向の電流を前記電磁石に入力する第３入力モジュールと、をさらに備える。
【００１６】
以上の統括な記述と以下の細部記述は、ただ例示的なものであり、本発明を制限するものではないと、理解されるべきである。
【図面の簡単な説明】
【００１７】
ここでの図面は、明細書に合併されて本明細書の一部を構成して本発明に合致する実施例を示し、明細書とともに本発明の原理を説明するのに用いられる。
【００１８】
【図１Ａ】例示的な一実施例に係る電子レンジに用いられるドアフレームアセンブリの構成を示す模式図である。
【図１Ｂ】例示的なもう一実施例に係る電子レンジに用いられるドアフレームアセンブリの構成を示す模式図である。
【図１Ｃ】例示的な一実施例に係る電子レンジに用いられるドアフレームアセンブリを示す平面図である。
【図２】例示的な一実施例に係るドアフレームアセンブリの制御方法を示すフローチャートである。
【図３】例示的なもう一実施例に係るドアフレームアセンブリの制御方法を示すフローチャートである。
【図４Ａ】例示的な一実施例に係るドアフレームアセンブリの制御装置を示すブロック図である。
【図４Ｂ】例示的なもう一実施例に係るドアフレームアセンブリの制御装置を示すブロック図である。
【発明を実施するための形態】
【００１９】
ここで、例示的な実施例について詳しく説明し、その例が図面に示されている。以下の記述において、図面を説明する際に特に説明しない場合、異なる図面中の同一の符号は、同じまたは類似する要素を意味する。以下の例示的な実施例において記述する実施形態は、本発明と合致する全ての実施形態を代表するものではない。逆に、それらは、添付の特許請求の範囲において詳しく記述する本発明のいくつかの態様と合致する装置及び方法の例に過ぎない。
【００２０】
図１Ａは、例示的な一実施例に係る電子レンジに用いられるドアフレームアセンブリの構成を示す模式図である。当該電子レンジのドアフレームアセンブリは、ドアプレート１１０、ドアフレーム１２０、制御チップ１３０、距離センサ１４０及びドア軸を含んでもよいが、これらに限定されない。
【００２１】
図１Ａに示すように、ドアプレート１１０とドアフレーム１２０はドア軸を介して接続され、ドアプレート１１０における少なくとも一部の領域がドアフレーム１２０と対向し、ドアプレート１１０におけるドアフレーム１２０と対向する第１の領域１１１には第１種類の磁石が設置されており、当該ドアフレーム１２０における当該第１の領域１１１と対向する第２の領域１２１には第２種類の磁石が設置されており、当該第１種類の磁石は永久磁石と電磁石の中の一方であり、当該第２種類の磁石は永久磁石と電磁石の中の他方である。
【００２２】
図１Ｂは、例示的なもう一実施例に係る電子レンジに用いられるドアフレームアセンブリの構成を示す模式図である。図１Ｂに示すように、制御チップ１３０と距離センサ１４０は互いに接続され、距離センサ１４０は、ドアプレートとドアフレームとの間の距離をモニタリングし、制御チップ１３０は、距離センサ１４０により特定された距離に基づいて電磁石の電流方向を制御する。
【００２３】
上記のように、本発明の実施例によって提供する電子レンジに用いられるドアフレームアセンブリによると、制御チップと距離センサとを接続させて、距離センサを用いてドアプレートとドアフレームとの間の距離をモニタリングし、制御チップを利用して距離センサが特定した距離に基づいて電磁石の電流方向を制御する。このようにして、電磁石の電流方向は電子レンジのドアプレートと電子レンジのドアフレームとの間の距離の変化状況に関連されるため、電子レンジのドアを押したり引いたりするユーザの力がドアを移動させるための力に達しないと電子レンジのドアが押されたり引かされなく、ユーザがドアを正常的に開閉できない問題が解決した。このように、電子レンジが、ユーザが電子レンジのドアを押したり引いたりする時にドアの移動方向と一致する補助力を自動的に生成するようにして、ユーザがドアを押したり引いたりする時にかかる力が低減する効果に達した。
【００２４】
再び図１Ａを参照すると、当該電子レンジのドアフレームアセンブリは、ドアプレート１１０、ドアフレーム１２０、制御チップ１３０、距離センサ１４０及びドア軸を含んでもよいが、これらに限定されない。
【００２５】
ドアプレート１１０とドアフレーム１２０はドア軸を介して接続され、ドアプレート１１０における少なくとも一部の領域がドアフレーム１２０と対向し、ドアプレート１１０におけるドアフレーム１２０と対向する第１の領域１１１には第１種類の磁石が設置されており、当該ドアフレーム１２０における当該第１の領域１１１と対向する第２の領域１２１には第２種類の磁石が設置されており、当該第１種類の磁石は永久磁石と電磁石の中の一方であり、当該第２種類の磁石は永久磁石と電磁石の中の他方である。
【００２６】
図１Ｂに示すように、制御チップ１３０と距離センサ１４０とは互いに接続され、距離センサ１４０は、ドアプレートとドアフレームとの間の距離をモニタリングし、制御チップ１３０は、距離センサ１４０が特定した距離に基づいて電磁石の電流方向を制御する。
【００２７】
図１Ａと図１Ｂを結合すると、オプションとして、距離センサ１４０を、第１の領域１１１または第２の領域１２１内に位置させてもよいし、その他の位置に位置させてもよく、本実施例では、距離センサ１４０の位置を具体的に制限しない。
【００２８】
図１Ｃは、例示的な一実施例に係る電子レンジに用いられるドアフレームアセンブリを示す平面図であり、図１Ｃに示すように、距離センサ１４０の装着位置が異なるのであれば、距離センサ１４０により検出されたドアプレート１１０とドアフレーム１２０との間の距離も異なる可能性がある。
【００２９】
図１Ｃ（１）は、距離センサ１４０が第１の領域１１１における第１の装着位置１１１ａに装着された場合、距離センサ１４０が当該第１の装着位置１１１ａにおいて検出したドアプレート１１０とドアフレーム１２０との相対的な距離を図示しており、当該相対的な距離は、当該第１の装着位置１１１ａと当該ドアフレーム１２０が位置する平面との間の垂直距離ｄ１である。
【００３０】
図１Ｃ（２）は、距離センサ１４０が第２の領域１２１における第２の装着位置１２１ａに装着された場合、距離センサ１４０が当該第２の装着位置１２１ａにおいて検出したドアプレート１１０とドアフレーム１２０との相対的な距離を図示しており、当該相対的な距離は、当該第２の装着位置１２１ａと当該ドアプレート１１０が位置する平面との間の垂直距離ｄ２である。
【００３１】
オプションとして、制御チップ１３０を、距離センサ１４０内に位置させてもよいし、その他の位置に位置させてもよく、本実施例では、制御チップ１３０の位置を具体的に制限しない。
【００３２】
再び図１Ａを参照すると、オプションとして、ドアプレート１１０にはハンドル部１５０が設けられ、ドアフレームアセンブリは、当該ハンドル部１５０に設けられたパラメータ収集手段をさらに備える。
【００３３】
ここで言う当該パラメータ収集手段は、ハンドル部１５０の温度、輝度、圧力のうちの少なくとも１種を含む環境特徴パラメータを収集するためのものである。
【００３４】
上記のように、本発明の実施例によって提供する電子レンジに用いられるドアフレームアセンブリによると、制御チップと距離センサとを接続させて、距離センサを用いてドアプレートとドアフレームとの間の距離をモニタリングし、制御チップを利用して距離センサが特定した距離に基づいて電磁石の電流方向を制御する。このようにして、電磁石の電流方向は電子レンジのドアプレートと電子レンジのドアフレームとの間の距離の変化状況に関連されるため、電子レンジのドアを押したり引いたりするユーザの力がドアを移動させるための力に達しないと電子レンジのドアが押されたり引かされなく、ユーザがドアを正常的に開閉できない問題が解決した。このように、電子レンジが、ユーザが電子レンジのドアを押したり引いたりする時にドアの移動方向と一致する補助力を自動的に生成するようにして、ユーザがドアを押したり引いたりする時にかかる力が低減する効果に達した。
【００３５】
図２は、例示的な一実施例に係るドアフレームアセンブリの制御方法を示すフローチャートである。図２に示すように、当該ドアフレームアセンブリの制御方法は、図１Ａに示したドアフレームアセンブリに用いられて、以下のステップを含む。
【００３６】
ステップ２０１において、制御チップが、ドアプレートとドアフレームとの間の距離が小さくなることを距離センサがモニタリングした際に生成した、当該距離センサより送信された第１の制御信号を受信した場合、第１の方向の電流を電磁石に入力して、当該電磁石の永久磁石と対向する一端の極性が当該永久磁石の極性と相反になるように制御する。
【００３７】
ステップ２０２において、制御チップが、距離センサが送信した第２の制御信号であって、当該距離センサがドアプレートとドアフレームとの間の距離が大きくなることをモニタリングした際に生成した第２の制御信号を受信した場合、第２の方向の電流を電磁石に入力して、当該電磁石の永久磁石と対向する一端の極性が当該永久磁石の極性と同一になるように制御する。
【００３８】
上記のように、本発明の実施例によって提供するドアフレームアセンブリの制御方法によると、制御チップは、距離センサが送信する制御信号を受信した後に、制御信号に対応する方向の電流を電磁石に入力して、電磁石の永久磁石と対向する一端の極性が前記永久磁石の極性と相反または同一になるように制御する。このようにして、制御信号は、距離センサが電子レンジのドアプレートと電子レンジのドアフレームとの間の距離が変化したことをモニタリングした際に生成したものであるので、電子レンジのドアを押したり引いたりするユーザの力がドアを移動させるための力に達しないと電子レンジのドアが押されたり引かされなく、ユーザがドアを正常的に開閉できない問題が解決した。このように、電子レンジが、ユーザが電子レンジのドアを押したり引いたりする時にドアの移動方向と一致する補助力を自動的に生成するようにして、ユーザがドアを押したり引いたりする時にかかる力が低減する効果に達した。
【００３９】
実際の生活において、電子レンジのドアプレートと当該電子レンジのドアフレームとの間の距離は自然要素の影響（例えば、風力）を受けて変化する可能性があり、距離センサが不要な距離変化状況を頻繁にモニタリングすることを避けるために、当該電子レンジのハンドル部にパラメータ収集手段を設置する。制御チップは、制御センサがパラメータ収集手段が送信するモニタリング起動信号を受信した後に、モニタリング起動指令を距離センサに送信して、電子レンジのドアプレートと当該電子レンジのドアフレームとの間の距離の変化に対する距離センサによるモニタリングを起動させる。モニタリング起動信号は、収集したパラメータが所定のパラメータレベルに達したことをパラメータ収集手段が判断した際に生成したものであるので、電子レンジのドアプレートが人力の影響を受ける場合のみに、当該電子レンジのドアプレートと当該電子レンジのドアフレームとの間の距離を検出することになり、これによりドアフレームアセンブリの電力消耗が低減された。
【００４０】
図３は、例示的なもう一実施例に係るドアフレームアセンブリの制御方法を示すフローチャートである。図３に示すように、当該ドアフレームアセンブリの制御方法は、図１Ａに示したドアフレームアセンブリに用いられて、以下のステップを含む。
【００４１】
ステップ３０１において、制御チップが、パラメータ収集手段が送信するモニタリング起動信号を受信する。
【００４２】
ここで言うモニタリング起動信号は、収集したパラメータが所定のパラメータレベルに達したことを当該パラメータ収集手段が判断した際に生成したものである。
【００４３】
パラメータ収集手段は、パラメータを検出した後に、収集したパラメータが所定のパラメータレベルに達するか否かを判断し、当該パラメータが所定のパラメータレベルに達した場合、モニタリング起動信号を制御チップに送信する。
【００４４】
例を挙げて説明すると、パラメータ１〜１０を第１のパラメータレベルとし、パラメータ１１〜２０を第２のパラメータレベルとし、第２のパラメータレベルを所定のパラメータレベルとする。パラメータ収集手段は、パラメータ９を検出した場合、パラメータ９が第２のパラメータレベルに達しないと判断して、この以後の操作を実行しない。パラメータ収集手段は、パラメータ１３を検出した場合、パラメータ１３が第２のパラメータレベルに達したと判断して、モニタリング起動信号を制御チップに送信する。
【００４５】
ここで言うパラメータとは、パラメータ収集手段の収集した電子レンジのハンドル部の環境特徴パラメータに対応するパラメータを指す。
【００４６】
環境特徴パラメータが温度である場合、温度に対応するパラメータが温度値である。環境特徴パラメータが輝度である場合、輝度に対応するパラメータが輝度値である。環境特徴パラメータ圧力である場合、圧力に対応するパラメータが圧力値である。
【００４７】
本実施例では所定のパラメータレベルの具体的なレベルを制限しないことを、説明しなければならない。
【００４８】
ステップ３０２において、制御チップが、モニタリング起動指令を距離センサに送信する。
【００４９】
ここで言うモニタリング起動指令は、電子レンジのドアプレートと当該電子レンジのドアフレームとの間の距離の変化に対する距離センサによるモニタリングを起動させるためのものである。
【００５０】
ステップ３０３において、制御チップが、距離センサが送信する第１の制御信号を受信した場合、第１の方向の電流を電磁石に入力して、当該電磁石の永久磁石と対向する一端の極性が当該永久磁石の極性と相反になるように制御する。
【００５１】
ここで言う第１の制御信号は、電子レンジのドアプレートと当該電子レンジのドアフレームとの間の距離が小さくなることを当該距離センサがモニタリングした際に生成したものである。
【００５２】
制御チップが、電磁石の永久磁石と対向する一端の極性が当該永久磁石の極性と相反になるように制御する場合、電磁石と永久磁石との間に引力が発生することになり、電磁石と永久磁石がそれぞれ電子レンジのドアプレートにおける第１の領域と当該電子レンジのドアフレームにおける第２の領域に装着されているので、当該電子レンジのドアプレートと当該電子レンジのドアフレームとが互いに引き付けるようになる。
【００５３】
電子レンジのドアプレートと当該電子レンジのドアフレームとの間の距離が小さくなる場合、ドアプレートが外力を受けてドアフレームに接近してゆくことが証明されており、この時に当該電子レンジのドアプレートと当該電子レンジのドアフレームとの間に引力があるのであれば、ドアプレートがドアフレームに接近してゆくのを促進するための外力が効果的に低減されることが可能である。
【００５４】
ステップ３０４において、制御チップが、距離センサより送信された第２の制御信号を受信した場合、第２の方向の電流を電磁石に入力して、当該電磁石の永久磁石と対向する一端の極性が当該永久磁石の極性と同一になるように制御する。
【００５５】
ここで言う第２の制御信号は、電子レンジのドアプレートと当該電子レンジのドアフレームとの間の距離が大きくなることを当該距離センサがモニタリングした際に生成したものである。
【００５６】
制御チップが、電磁石の永久磁石と対向する一端の極性が当該永久磁石の極性と同一になるように制御する場合、電磁石と永久磁石との間に斥力が発生することになり、電磁石と永久磁石がそれぞれ電子レンジのドアプレートにおける第１の領域と当該電子レンジのドアフレームにおける第２の領域に装着されているので、当該電子レンジのドアプレートと当該電子レンジのドアフレームとが互いに排斥するようになる。
【００５７】
電子レンジのドアプレートと当該電子レンジのドアフレームとの間の距離が大きくなる場合、ドアプレートが外力を受けてドアフレームから離れてゆくことが証明されており、この時に当該電子レンジのドアプレートと当該電子レンジのドアフレームとの間に斥力があるのであれば、ドアプレートがドアフレームから離れてゆくのを促進するための外力が効果的に低減されることが可能である。
【００５８】
本実施例における第１の方向と第２の方向は異なることを、説明しなければならない。
【００５９】
ステップ３０５において、制御チップが、距離センサより送信されたドアプレートの加速度を含む第３の制御信号を受信する。
【００６０】
ここで言う第３の制御信号は、電子レンジのドアプレートと当該電子レンジのドアフレームとの間の距離が小さくなり且つ当該電子レンジのドアプレートの加速度が加速度閾値よりも大きくなることを当該距離センサがモニタリングした際に生成したものである。
【００６１】
本実施例では加速度閾値の具体的な大小を制限しないことを、説明しなければならない。
【００６２】
ステップ３０６において、制御チップが、ドアプレートの加速度に対応する所定の電流値を検索する。
【００６３】
ここで言う電子レンジのドアプレートの加速度は、所定の電流値と正の相関関係を有し、電子レンジのドアプレートの加速度が大きければ大きいほど、ドアプレートの加速度に対応する所定の電流値が大きくなる。
【００６４】
ステップ３０７において、制御チップが、所定の電流値を有する第２の方向の電流を電磁石に入力する。
【００６５】
磁気誘導度の定義式であるＦ=Ｂ*Ｉ*Ｌから分かるように、電磁石が電気的に導通された後に発生する電磁力は電流と正の相関関係を有するので、制御チップから電磁石に入力された第２の方向の電流の電流値が大きければ大きいほど、当該電磁石に生じた電磁力が大きくなり、これにより電子レンジのドアプレートと当該電子レンジのドアフレームとの間の斥力が大きくなる。
【００６６】
上記のように、本発明の実施例によって提供するドアフレームアセンブリの制御方法によると、制御チップは、距離センサが送信する制御信号を受信した後に、制御信号に対応する方向の電流を電磁石に入力して、電磁石の永久磁石と対向する一端の極性が前記永久磁石の極性と相反または同一になるように制御する。このようにして、制御信号は、距離センサが電子レンジのドアプレートと電子レンジのドアフレームとの間の距離が変化したことをモニタリングした際に生成したものであるので、電子レンジのドアを押したり引いたりするユーザの力がドアを移動させるための力に達しないと電子レンジのドアが押されたり引かされなく、ユーザがドアを正常的に開閉できない問題が解決した。このように、電子レンジが、ユーザが電子レンジのドアを押したり引いたりする時にドアの移動方向と一致する補助力を自動的に生成するようにして、ユーザがドアを押したり引いたりする時にかかる力が低減する効果に達した。
【００６７】
本実施例において、ドアプレートとドアフレームとの間の距離が小さくなり且つ当該ドアプレートの加速度が加速度閾値よりも大きくなる時、制御チップが所定の電流値を有する第２の方向の電流を前記電磁石に入力する。このようにして、電子レンジのドアプレートの加速度が加速度閾値よりも大きくなる場合に、電子レンジのドアプレートの加速度が所定の電流値と正の相関関係を有するので、電子レンジのドアプレートのドア閉速度が速すぎると、制御チップが電磁石と永久磁石との間に斥力が発生するように制御して、電子レンジのドアプレートと電子レンジのドアフレームとの衝撃によるドアプレートの損傷が防止された。
【００６８】
以下は、本発明の装置の実施例であり、本発明の方法の実施例を実行することができる。本発明の装置の実施例において記述していない細部内容に対しては、本発明の方法の実施例を参照してください。
【００６９】
図４Ａは、例示的な一実施例に係るドアフレームアセンブリの制御装置を示すブロック図である。当該装置は電子レンジに用いられるものであり、図４Ａに示すように、第１入力モジュール４０１と、第２入力モジュール４０２とを備えるが、これらに限らない。
【００７０】
第１入力モジュール４０１は、距離センサが送信した第１の制御信号であって、当該距離センサがドアプレートとドアフレームとの間の距離が小さくなることをモニタリングした際に生成した第１の制御信号を受信した場合、第１の方向の電流を電磁石に入力して、当該電磁石の永久磁石と対向する一端の極性が当該永久磁石の極性と相反になるように制御する。
【００７１】
制御チップが、電磁石の永久磁石と対向する一端の極性が当該永久磁石の極性と相反になるように制御する場合、電磁石と永久磁石との間に引力が発生することになり、電磁石と永久磁石がそれぞれ電子レンジのドアプレートにおける第１の領域と当該電子レンジのドアフレームにおける第２の領域に装着されているので、当該電子レンジのドアプレートと当該電子レンジのドアフレームとが互いに引き付けるようになる。
【００７２】
電子レンジのドアプレートと当該電子レンジのドアフレームとの間の距離が小さくなる場合、ドアプレートが外力を受けてドアフレームに接近してゆくことが証明されており、この時に当該電子レンジのドアプレートと当該電子レンジのドアフレームとの間に引力があるのであれば、ドアプレートがドアフレームに接近してゆくのを促進するための外力が効果的に低減されることが可能である。
【００７３】
第２入力モジュール４０２は、距離センサが送信した第２の制御信号であって、当該距離センサがドアプレートとドアフレームとの間の距離が大きくなることをモニタリングした際に生成した第２の制御信号を受信した場合、第２の方向の電流を電磁石に入力して、当該電磁石の永久磁石と対向する一端の極性が当該永久磁石の極性と同一になるように制御するようにし、第１の方向と第２の方向は異なる。
【００７４】
制御チップが、電磁石の永久磁石と対向する一端の極性が当該永久磁石の極性と同一になるように制御する場合、電磁石と永久磁石との間に斥力が発生することになり、電磁石と永久磁石がそれぞれ電子レンジのドアプレートにおける第１の領域と当該電子レンジのドアフレームにおける第２の領域に装着されているので、当該電子レンジのドアプレートと当該電子レンジのドアフレームとが互いに排斥するようになる。
【００７５】
電子レンジのドアプレートと当該電子レンジのドアフレームとの間の距離が大きくなる場合、ドアプレートが外力を受けてドアフレームから離れてゆくことが証明されており、この時に当該電子レンジのドアプレートと当該電子レンジのドアフレームとの間に斥力があるのであれば、ドアプレートがドアフレームから離れてゆくのを促進するための外力が効果的に低減されることが可能である。
【００７６】
実施可能な一態様においては、例示的なもう一実施例に係るドアフレームアセンブリの制御装置を示すブロック図である。図４Ｂを参照すると、当該装置はさらに、第１受信モジュール４０３と、送信モジュール４０４とを備えている。
【００７７】
第１受信モジュール４０３は、パラメータ収集手段が送信したモニタリング起動信号であって、当該パラメータ収集手段が、収集したパラメータが所定のパラメータレベルに達したことを判断した際に生成したモニタリング起動信号を受信する。
【００７８】
パラメータ収集手段は、パラメータを検出した後に、収集したパラメータが所定のパラメータレベルに達するか否かを判断し、当該パラメータが所定のパラメータレベルに達した場合、モニタリング起動信号を制御チップに送信する。
【００７９】
ここで言うパラメータとは、パラメータ収集手段の収集した電子レンジのハンドル部の環境特徴パラメータに対応するパラメータを指す。
【００８０】
環境特徴パラメータが温度である場合、温度に対応するパラメータが温度値である。環境特徴パラメータが輝度である場合、輝度に対応するパラメータが輝度値である。環境特徴パラメータが圧力である場合、圧力に対応するパラメータが圧力値である。
【００８１】
本実施例では所定のパラメータレベルの具体的なレベルを制限しないことを、説明しなければならない。
【００８２】
送信モジュール４０４は、ドアプレートとドアフレームとの間の距離の変化に対する距離センサによるモニタリングを起動させるためのモニタリング起動指令を距離センサに送信する。
【００８３】
実施可能な一態様においては、再び図４Ｂを参照すると、当該装置は、第２受信モジュール４０５と、検索モジュール４０６と、第３入力モジュール４０７と、をさらに備えている。
【００８４】
第２受信モジュール４０５は、ドアプレートの加速度を含む距離センサが送信した第３の制御信号であって、当該距離センサが、ドアプレートとドアフレームとの間の距離が小さくなり且つ当該ドアプレートの加速度が加速度閾値よりも大きくなることをモニタリングした際に生成した第３の制御信号を受信する。
【００８５】
本実施例では加速度閾値の具体的な大小を制限しないことを、説明しなければならない。
【００８６】
検索モジュール４０６は、所定の電流値と正の相関関係を有するドアプレートの加速度に対応する所定の電流値を検索する。
【００８７】
電子レンジのドアプレートの加速度が大きければ大きいほど、ドアプレートの加速度に対応する所定の電流値が大きくなる。
【００８８】
第３入力モジュール４０７は、所定の電流値を有する第２の方向の電流を電磁石に入力する。
【００８９】
磁気誘導度の定義式であるＦ=Ｂ*Ｉ*Ｌから分かるように、電磁石が電気的に導通された後に生じた電磁力が電流と正の相関関係を有するため、制御チップから電磁石に入力された第２の方向の電流の電流値が大きければ大きいほど、当該電磁石に生じた電磁力が大きくなり、これにより電子レンジのドアプレートと当該電子レンジのドアフレームとの間の斥力が大きくなる。
【００９０】
上記のように、本発明の実施例によって提供するドアフレームアセンブリの制御方法によると、制御チップは、距離センサが送信する制御信号を受信した後に、制御信号に対応する方向の電流を電磁石に入力して、電磁石の永久磁石と対向する一端の極性が前記永久磁石の極性と相反または同一になるように制御する。このようにして、制御信号は、距離センサが電子レンジのドアプレートと電子レンジのドアフレームとの間の距離が変化したことをモニタリングした際に生成したものであるので、電子レンジのドアを押したり引いたりするユーザの力がドアを移動させるための力に達しないと電子レンジのドアが押されたり引かされなく、ユーザがドアを正常的に開閉できない問題が解決した。このように、電子レンジが、ユーザが電子レンジのドアを押したり引いたりする時にドアの移動方向と一致する補助力を自動的に生成するようにして、ユーザがドアを押したり引いたりする時にかかる力が低減する効果に達した。
【００９１】
本実施例において、制御チップは、距離センサが送信する制御信号を受信した後に、制御信号に対応する方向の電流を電磁石に入力して、電磁石の永久磁石と対向する一端の極性が前記永久磁石の極性と相反または同一になるように制御する。このようにして、制御信号は、距離センサが電子レンジのドアプレートと電子レンジのドアフレームとの間の距離が変化したことをモニタリングした際に生成したものであるので、電子レンジのドアを押したり引いたりするユーザの力がドアを移動させるための力に達しないと電子レンジのドアが押されたり引かされなく、ユーザがドアを正常的に開閉できない問題が解決した。このように、電子レンジが、ユーザが電子レンジのドアを押したり引いたりする時にドアの移動方向と一致する補助力を自動的に生成するようにして、ユーザがドアを押したり引いたりする時にかかる力が低減する効果に達した。
【００９２】
本実施例において、制御チップは、パラメータ収集手段が送信するモニタリング起動信号を受信した後に、モニタリング起動指令を距離センサに送信し、そしてモニタリング起動信号は、収集したパラメータが所定のパラメータレベルに達したことをパラメータ収集手段が判断した際に生成したものであるので、電子レンジのドアプレートが人力の影響を受ける場合のみに、当該電子レンジのドアプレートと当該電子レンジのドアフレームとの間の距離を検出することになり、これによりドアフレームアセンブリの電力消耗が低減された。
【００９３】
本実施例において、ドアプレートとドアフレームとの間の距離が小さくなり且つ当該ドアプレートの加速度が加速度閾値よりも大きくなる時、制御チップが所定の電流値を有する第２の方向の電流を前記電磁石に入力し、そして電子レンジのドアプレートの加速度が加速度閾値よりも大きくなる時、電子レンジのドアプレートの加速度が所定の電流値と正の相関関係を有するので、電子レンジのドアプレートのドア閉速度が速すぎると、制御チップが電磁石と永久磁石との間に斥力が発生するように制御し、これにより電子レンジのドアプレートと電子レンジのドアフレームとの衝撃によるドアプレートの損傷が防止された。
【００９４】
本発明の他の実施態様は、本明細書の考察または本文に開示される発明の実施から、本技術分野の当業者には明らかであろう。本願は、本発明に係わる任意の変形、用途または適応的な変化をカバーすることを趣旨とし、それら変形、用途または適応的な変化は、本発明の一般的な原理に従うと共に、本発明で開示されない本技術分野における公知常識または慣用技術手段を含む。明細書及び実施例は例示的なものに過ぎないと考えられるべきであり、本発明の本当の範囲及び精神は添付の特許請求の範囲にて示される。
【００９５】
本発明は以上に開示されかつ図面にて示された明確な構造に制限されるものではなく、本発明を逸脱しない範囲内で様々な修正と変更が可能であることは、理解されるべきである。本発明の範囲は、添付の特許請求の範囲のみに制限されるものである。
【図１Ａ】
0006454739.tif 000002
【図１Ｂ】
0006454739.tif 000003
【図１Ｃ】
0006454739.tif 000004
【図２】
0006454739.tif 000005
【図３】
0006454739.tif 000006
【図４Ａ】
0006454739.tif 000007
【図４Ｂ】
0006454739.tif 000008